(57)【要約】【課題】障害物がセンサの検知範囲にある場合にはその障害物を除去すべき旨の警報を発報できる販売情報登録処理装置及び販売情報登録処理プログラムを提供する。【解決手段】販売情報登録処理装置は、オペレータ側に情報を表示するオペレータ側ディスプレイと、オペレータを操作時に検知できる位置に設置されるセンサと、オペレータが入り込まない最大の距離に対応するセンサの出力電圧である第１の閾値及びオペレータが操作時にいる最大の距離に対応するセンサの出力電圧である第２の閾値を格納する閾値テーブルと、第１閾値時間より長くセンサの出力電圧が第１の閾値より大きい場合には障害物を除去することを促す旨の警報を発報させ、第２閾値時間より長くセンサの出力電圧が第２の閾値より小さい場合には省電力モードに移行させる制御部と、を備える。【選択図】図５
2015201147.tif 000002
【特許請求の範囲】
【請求項１】
オペレータ側に情報を表示するオペレータ側ディスプレイと、
オペレータを操作時に検知できる位置に設置されるセンサと、
前記オペレータが入り込まない最大の距離に対応する前記センサの出力電圧である第１の閾値及び前記オペレータが操作時にいる最大の距離に対応する前記センサの出力電圧である第２の閾値を格納する閾値テーブルと、
第１閾値時間より長く前記センサの出力電圧が前記第１の閾値より大きい場合には障害物を除去することを促す旨の警報を発報させ、第２閾値時間より長く前記センサの出力電圧が前記第２の閾値より小さい場合には省電力モードに移行させる制御部と、
を備える販売情報登録処理装置。
【請求項２】
前記制御部は、
前記警報を前記オペレータ側ディスプレイに表示させることにより発報する請求項１記載の販売情報登録処理装置。
【請求項３】
音声を発生させる音声発生装置をさらに備え、
前記制御部は、
前記警報を前記音声発生装置によって音声により発報する請求項２記載の販売情報登録処理装置。
【請求項４】
オペレータ側に情報を表示するオペレータ側ディスプレイと、
オペレータを操作時に検知できる位置に設置されるセンサと、
前記オペレータが入り込まない最大の距離に対応する前記センサの出力電圧である第１の閾値及び前記オペレータが操作時にいる最大の距離に対応する前記センサの出力電圧である第２の閾値を格納する閾値テーブルと、
を備える販売情報登録処理装置を、
第１閾値時間より長く前記センサの出力電圧が前記第１の閾値より大きい場合には障害物を除去することを促す旨の警報を発報させる警報発報手段と、
第２閾値時間より長く前記センサの出力電圧が前記第２の閾値より小さい場合には省電力モードに移行させる省電力モード移行手段と、
として機能させるための販売情報登録処理プログラム。
【請求項５】
前記警報発報手段は、
前記警報を前記オペレータ側ディスプレイに表示させることにより発報する請求項４記載の販売情報登録処理プログラム。
【請求項６】
前記販売情報登録処理装置は、
音声を発生させる音声発生装置をさらに備え、
前記警報発報手段は、
前記警報を前記音声発生装置によって音声により発報する請求項５記載の販売情報登録処理プログラム。
【発明の詳細な説明】
【技術分野】
【０００１】
本発明の実施形態は、販売情報登録処理装置及び販売情報登録処理プログラムに関する。
【背景技術】
【０００２】
ＰＯＳ端末などの販売情報登録処理装置においても、ユーザの省エネルギーに関する意識が高まっている。
【０００３】
この省エネルギーに対する要求に対して、人感センサを備え、この人感センサの出力に基づいて人がＰＯＳ端末の前にいないと判定した場合にはＰＯＳ端末をスリープモードなどの省エネルギーモードに移行させる技術が提案されている。
【０００４】
しかし、人感センサはＰＯＳ端末のディスプレイの下などに配置される場合が多く、オペレータが人感センサの前にメモなどの障害物を配置すると誤動作の原因となることがあった。
【先行技術文献】
【特許文献】
【０００５】
【特許文献１】特開平４−３０３２９５号公報
【発明の概要】
【発明が解決しようとする課題】
【０００６】
従って、障害物がセンサの検知範囲にある場合にはその障害物を除去すべき旨の警報を発報できる販売情報登録処理装置及び販売情報登録処理プログラムが求められている。
【課題を解決するための手段】
【０００７】
上記の課題を解決するために、本発明の一実施形態は、オペレータ側に情報を表示するオペレータ側ディスプレイと、オペレータを操作時に検知できる位置に設置されるセンサと、オペレータが入り込まない最大の距離に対応するセンサの出力電圧である第１の閾値及びオペレータが操作時にいる最大の距離に対応するセンサの出力電圧である第２の閾値を格納する閾値テーブルと、第１閾値時間より長くセンサの出力電圧が第１の閾値より大きい場合には障害物を除去することを促す旨の警報を発報させ、第２閾値時間より長くセンサの出力電圧が第２の閾値より小さい場合には省電力モードに移行させる制御部と、を備える販売情報登録処理装置を提供する。
【図面の簡単な説明】
【０００８】
【図１】販売情報登録処理装置の外観斜視図である。
【図２】販売情報登録処理装置の構成を示すブロック図である。
【図３】センサとオペレータとの距離を示す図である。
【図４】距離とセンサの出力電圧の閾値の関係を示す図である。
【図５】販売情報登録処理装置の制御部による動作を示す図である。
【発明を実施するための形態】
【０００９】
以下、販売情報登録処理装置及び販売情報登録処理プログラムの一実施形態について、図面を用いて詳細に説明する。
【００１０】
本実施形態の販売情報登録処理装置は、オペレータ側に情報を表示するオペレータ側ディスプレイと、オペレータを操作時に検知できる位置に設置されるセンサと、オペレータが入り込まない最大の距離に対応するセンサの出力電圧である第１の閾値及びオペレータが操作時にいる最大の距離に対応するセンサの出力電圧である第２の閾値を格納する閾値テーブルと、第１閾値時間より長くセンサの出力電圧が第１の閾値より大きい場合には障害物を除去することを促す旨の警報を発報させ、第２閾値時間より長くセンサの出力電圧が第２の閾値より小さい場合には省電力モードに移行させる制御部と、を備える。
【００１１】
図１は、販売情報登録処理装置（以下、登録処理装置という。）１の外観斜視図である。図１に示すように、登録処理装置１は、制御部２０１を格納する本体部１０１と、記録媒体に画像形成するプリンタ１０２と、オペレータ側に情報を表示するタッチパネルなどのオペレータ側ディスプレイ１０３Ａと、顧客側に情報を表示する客面ディスプレイ１０３Ｂと、情報を入力するキーボード１０４と、カードから情報を読み取るカードリーダ１０５と、を備える。以下、オペレータ側ディスプレイ１０３Ａ、客面ディスプレイ１０３Ｂ、及びキーボード１０４を合わせて入出力部１０３という。
【００１２】
登録処理装置１はさらに、センサ１１０を備え、現金を入出力する入出金装置１０６と接続してもよい。
【００１３】
センサ１１０は、例えばオペレータ側ディスプレイ１０３Ａと本体部１０１との間隙などの目立たない位置であって、オペレータを検知できる位置に設置される。センサ１１０は、例えば赤外線を用いる反射型センサを採用することができる。
【００１４】
センサ１１０は、赤外線反射型センサを用いる場合、赤外線照射部と、赤外線受信部と、を備える。センサ１１０は赤外線照射部によって赤外線を照射し、障害物によって反射された赤外線を赤外線受信部によって受信し、受信強度を電圧に変換して出力する。従って、センサ１１０の出力電圧によってセンサ１１０から障害物までの距離を検知できる。
【００１５】
図２は、登録処理装置１の構成を示すブロック図である。登録処理装置１は、例えばＰＯＳ（Ｐｏｉｎｔ  ｏｆ  ｓａｌｅｓ）端末として使用することができる。
【００１６】
図２に示すように、登録処理装置１は、演算装置であるＣＰＵ（ｃｅｎｔｒａｌ  ｐｒｏｃｅｓｓｉｎｇ  ｕｎｉｔ）を含む制御部２０１と、入出力部１０３と、プリンタ１０２と、通信を行う通信部２０３と、通信部２０３を介して接続される入出金装置１０６と、センサ１１０と、メモリ、ハードディスクドライブなどの記憶装置を含む記憶部２０２と、を備える。
【００１７】
記憶部２０２は、商品に固有に割り当てられる識別子である商品コードごとに、単価、商品名などの商品情報を格納する商品マスタ２０２Ａと、一取引の内容を格納するトランザクションファイル２０２Ｂと、センサ１１０の出力電圧に対する第１の閾値及び第２の閾値を格納する閾値テーブル２０２Ｃと、を格納する。
【００１８】
また、記憶部２０２は販売情報登録処理プログラムを格納し、制御部２０１は記憶部２０２から販売情報登録処理プログラムを順次読み出して実行する。
【００１９】
図３は、センサ１１０とオペレータ３０１との距離を示す図である。図３に示すように、センサ１１０から登録処理装置１の範囲内の距離Ｄ１にはオペレータ３０１は入れない。
【００２０】
また、距離Ｄ１の範囲内にはオペレータ３０１の手が入ることがあるが、通常はオペレータ３０１の手は動いており、長い間距離Ｄ１の中に留まることはない。これに対し、例えばメモ用紙などの障害物は距離Ｄ１の範囲内に長時間留まることがある。
【００２１】
従って、登録処理装置１は、センサ１１０の出力に基づいて物体が距離Ｄ１の範囲内に第１の閾値時間以上あると判定した場合、その物体は排除すべき障害物であるとして警報を発報する。
【００２２】
一方、オペレータ３０１は登録処理装置１を操作する場合には距離Ｄ２の範囲内にいる必要がある。
【００２３】
従って、登録処理装置１は、センサ１１０の出力に基づいて物体が距離Ｄ２の範囲内に第２の閾値時間以上ないと判定した場合、スリープモードなどの省電力モードに移行する。
【００２４】
図４は、距離とセンサ１１０の出力電圧の閾値の関係を示す図である。図４においては、縦軸にセンサ１１０の出力電圧が、横軸にセンサ１１０と障害物までの距離が、それぞれ示されている。
【００２５】
図４に示すように、オペレータ３０１が入り込まない最大の範囲である距離Ｄ１が４０ｃｍである場合、対応するセンサ１１０の出力電圧はＳ１（Ｖ）であるため、Ｓ１（Ｖ）を第１の閾値とすることができる。また、オペレータ３０１が操作時にいる最大の範囲である距離Ｄ２が８０ｃｍである場合、対応するセンサ１１０の出力電圧はＳ２（Ｖ）であるため、Ｓ２（Ｖ）を第１の閾値とすることができる。
【００２６】
すなわち、登録処理装置１は、第１閾値時間より長くセンサ１１０の出力電圧が第１の閾値Ｓ１より大きい場合には障害物を除去することを促す旨の警報を発報し、第２閾値時間より長くセンサ１１０の出力電圧が第２の閾値Ｓ２より小さい場合には省電力モードに移行する。
【００２７】
ここで、第１閾値時間は、オペレータ３０１の手が距離Ｄ１の範囲にとどまる最長の時間、例えば３０秒とすることができる。また、第２閾値時間は、オペレータ３０１が登録処理装置１を操作しながら登録処理装置１の前からずれる最長の時間、例えば１分とすることができる。
【００２８】
図５は、登録処理装置１の制御部２０１による動作を示す図である。図５に示すように、ステップ５０１において、登録処理装置１はセンサ１１０の出力電圧を検知する。
【００２９】
ステップ５０２において、登録処理装置１は検知した電圧が第１の閾値Ｓ１を上回るかを判定する。登録処理装置１は検知した電圧が第１の閾値Ｓ１を上回ると判定した場合（ステップ５０２のＹ）、ステップ５０３に進み、第１の閾値Ｓ１を上回らないと判定した場合（ステップ５０２のＮ）、ステップ５０８に進む。
【００３０】
ステップ５０３において、登録処理装置１はタイマをスタートさせて経過時間の計測を開始する。
【００３１】
ステップ５０４において、登録処理装置１は第１閾値時間を経過したかを判定する。登録処理装置１は、第１閾値時間を経過したと判定した場合（ステップ５０４のＹ）、ステップ５０５に進み、第１閾値時間を経過していないと判定した場合（ステップ５０４のＮ）、ステップ５０４に戻る。
【００３２】
ステップ５０５において、登録処理装置１はセンサ１１０の出力電圧を検知する。
【００３３】
ステップ５０６において、登録処理装置１は検知した電圧が第１の閾値Ｓ１を上回るかを判定する。登録処理装置１は検知した電圧が第１の閾値Ｓ１を上回ると判定した場合（ステップ５０６のＹ）、ステップ５０７に進み、第１の閾値Ｓ１を上回らないと判定した場合（ステップ５０６のＮ）、ステップ５０１に戻る。
【００３４】
ステップ５０７において、登録処理装置１はオペレータ側ディスプレイ１０３Ａにセンサ１１０の前の障害物を除去することを促す旨の警報を出力して発報し、処理を終了する。
【００３５】
なお、登録処理装置１がスピーカなどの音声発生装置を備えている場合には、この音声発生装置によって音声にて上記警報を発報するように構成してもよい。
【００３６】
ステップ５０８において、登録処理装置１は検知した電圧が第２の閾値Ｓ２を下回るかを判定する。登録処理装置１は検知した電圧が第２の閾値Ｓ２を下回ると判定した場合（ステップ５０８のＹ）、ステップ５０９に進み、第２の閾値Ｓ２を下回らないと判定した場合（ステップ５０８のＮ）、ステップ５０１に戻る。
【００３７】
ステップ５０９において、登録処理装置１はタイマをスタートさせて経過時間の計測を開始する。
【００３８】
ステップ５１０において、登録処理装置１は第２閾値時間を経過したかを判定する。登録処理装置１は、第２閾値時間を経過したと判定した場合（ステップ５１０のＹ）、ステップ５１１に進み、第２閾値時間を経過していないと判定した場合（ステップ５１０のＮ）、ステップ５１０に戻る。
【００３９】
ステップ５１１において、登録処理装置１はセンサ１１０の出力電圧を検知する。
【００４０】
ステップ５１２において、登録処理装置１は検知した電圧が第２の閾値Ｓ２を下回るかを判定する。登録処理装置１は検知した電圧が第２の閾値Ｓ２を下回ると判定した場合（ステップ５１２のＹ）、ステップ５１３に進み、第２の閾値Ｓ２を下回らないと判定した場合（ステップ５１２のＮ）、ステップ５０１に戻る。
【００４１】
ステップ５１３において、登録処理装置１はスリープモード乃至電源オフなどの省電力モードに移行して処理を終了する。
【００４２】
なお、登録処理装置１は省電力モードに移行する際に入出金装置１０６を開けることができないようにロックさせるように構成することもできる。
【００４３】
以上のべたように、本実施形態の登録処理装置１は、オペレータ側に情報を表示するオペレータ側ディスプレイ１０３Ａと、オペレータ３０１を操作時に検知できる位置に設置されるセンサ１１０と、オペレータ３０１が入り込まない最大の範囲である距離Ｄ１に対応するセンサ１１０の出力電圧である第１の閾値Ｓ１及びオペレータ３０１が操作時にいる最大の範囲である距離Ｄ２に対応するセンサ１１０の出力電圧である第２の閾値Ｓ２を格納する閾値テーブル２０２Ｃと、第１閾値時間より長くセンサ１１０の出力電圧が第１の閾値Ｓ１より大きい場合には障害物を除去することを促す旨の警報を発報させ、第２閾値時間より長くセンサ１１０の出力電圧が第２の閾値Ｓ２より小さい場合には省電力モードに移行させる制御部２０１と、を備える。
【００４４】
従って、障害物がセンサの検知範囲にある場合にはその障害物を除去すべき旨の警報を発報できるという効果がある。
【００４５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１０１：本体部
１０２：プリンタ
１０４：キーボード
１０５：カードリーダ
１０６：入出金装置
【図１】
2015201147.tif 000003
【図２】
2015201147.tif 000004
【図３】
2015201147.tif 000005
【図４】
2015201147.tif 000006
【図５】
2015201147.tif 000007